(57)【要約】【課題】複写機等の画像形成装置において、消費電力を抑えるようにされている節電状態から機能の使用を実行する場合、画像読込部１と画像形成部２のどちらか一方のみを使用する場合でも、画像読込部１と画像形成部２の両方が、節電状態を解除されていた。【解決手段】画像読込部１と画像形成部２に対して、電源回路４の電力をそれぞれ独立的に与える構成とする。節電状態から機能の使用を開始する場合に、画像読込部１と画像形成部２のうち、使用が要求されている機能のみに電力を供給する。【効果】節電状態から機能の使用を開始する場合、使用が必要とされていない機能は節電状態が解除されず、無用な電力の消費を抑えることができる。【選択図】　　　　　　図１
2004064421.tif 000002
【特許請求の範囲】
【請求項１】
画像を読取り、読取った画像のデータを出力する画像読込部と、
与えられる画像データに基づいて、トナー像を用紙に印刷する画像形成部と、
電源回路と、
電源回路から画像読込部および画像形成部への駆動電力の供給を制御する制御手段とを有し、
制御手段は、画像読込部へ与えられる駆動電力および画像形成部へ与えられる駆動電力を、それぞれ、独立的に制御することを特徴とする画像形成装置。
【請求項２】
前記制御手段は、画像読込部への駆動電力供給を画像形成部を経由して行っており、
画像形成部には、所定の条件になった時に、制御手段に対して画像読込部への電力供給の停止を要求する手段が備えられていることを特徴とする請求項１記載の画像形成装置。
【発明の詳細な説明】
【０００１】
【発明の属する技術分野】
この発明は、電子写真方式により画像を形成する複写機、ファクシミリ装置などの画像形成装置に関する。
【０００２】
【従来の技術】
複写機やファクシミリ装置などの画像形成装置には、原稿画像等を読み取るためのスキャナ部と、与えられる画像データに基づいてトナー像を用紙に印刷するためのプリンタ部とが含まれている。プリンタ部には、トナー像を用紙に転写した後、トナー像を用紙に定着させるための定着装置が含まれている。定着装置は、通常、トナーを加熱するための熱ローラと、トナーを加圧するための圧ローラとのローラ対を有しており、トナーを加熱および加圧することにより、トナーを用紙に定着させる。
【０００３】
従来の画像形成装置においては、プリンタ部に含まれる定着装置が、装置内で最も消費電力の多い構成部品であることから、一定時間以上画像形成装置が使用されない場合には、定着装置への通電を削減する節電状態に切り換わり、消費電力を少なくするようにされているのが一般的である。
そして、節電状態の画像形成装置を稼働させるべく、操作部に備えられたボタンなどを操作すると、定着装置への供給電力が増加し、定着装置の温度が所定温度に達すると、画像形成装置は動作可能状態となる。
【０００４】
【発明が解決しようとする課題】
ところで、昨今の複写機は、多機能なものが多くなっており、たとえばそのスキャナ部により読取られた原稿画像データを、自己のパソコンなどへ送信できるようなものがある。
また、ファクシミリ装置でも、画像データを送信する場合は、スキャナ部は動作するがプリンタ部は動作しなくても構わない。
【０００５】
ところが、従来の画像形成装置では、節電状態になっている装置のスキャナ部を動作させるため、操作部に備えられたボタン等を操作すると、必ずプリンタ部（定着装置）への供給電力が増加され、定着装置の温度が上昇してプリンタ部がスタンバイ状態となる。このように、スキャナ部だけを動作させたい場合であっても、操作ボタンを操作することにより、プリンタ部への電力供給が行われて、不必要な電力消費が行われているというのが現状であった。
【０００６】
この発明は、かかる背景のもとになされたもので、不必要な電力供給をなくしていわゆる省エネ効果が向上された画像形成装置を提供することを目的とする。
【０００７】
【課題を解決するための手段および発明の効果】
請求項１記載の発明は、画像を読取り、読取った画像のデータを出力する画像読込部（１）と、与えられる画像データに基づいて、トナー像を用紙に印刷する画像形成部（２）と、電源回路（４）と、電源回路から画像読込部および画像形成部への駆動電力の供給を制御する制御手段（３）とを有し、制御手段は、画像読込部へ与えられる駆動電力および画像形成部へ与えられる駆動電力を、それぞれ、独立的に制御することを特徴とする画像形成装置である。
【０００８】
なお、括弧内の数字は、後述の実施形態における対応構成要素等を表す。以下、この項において同じ。
請求項２記載の発明は、前記制御手段（３）は、画像読込部（１）への駆動電力供給を画像形成部（２）を経由して行っており、画像形成部には、所定の条件になった時に、制御手段に対して画像読込部への電力供給の停止を要求する手段が備えられていることを特徴とする請求項１記載の画像形成装置である。
【０００９】
請求項１の構成によれば、制御手段は、画像読込部へ与えられる駆動電力および画像形成部へ与えられる駆動電力を、それぞれ、独立的に制御する。これにより、画像読込部の駆動時には、画像読込部だけに電力を供給し、画像形成部の駆動時には画像形成部にだけ電力を供給することができる。もちろん、通常の複写動作時等には、画像読込部および画像形成部の両方へ駆動電力を供給する。
このように、使用要求のあった機能部分に対してのみ駆動電力が与えられる構成とすることにより、使用しない機能部分は節電状態が維持され、不必要な電力を消費しないで済む。これにより消費電力を低減した画像形成装置とすることができる。
【００１０】
請求項２の構成では、消費電力の大きな画像形成部は、一定時間以上動作されない場合には節電状態に切り換わる。これに加えて、消費電力の少ない画像読込部も、一定時間以上動作されない場合には、供給電力が停止されるので、画像読込部に対してもより多くの節電を行うことができる。
この発明は、以上の構成により、いわゆる省エネ機能が向上された画像形成装置とすることができる。
【００１１】
【発明の実施の形態】
以下では、この発明の実施の形態を、添付図面を参照して詳細に説明する。
図１は、この発明の一実施形態にかかるいわゆる多機能複写機の構成を示すブロック図である。このいわゆる多機能複写機は、複写機を基本機能とし、ファクシミリ、コンピュータのスキャナ、コンピュータのプリンタとしても機能する多機能型の装置である。
【００１２】
この多機能複写機は、原稿画像を読み取って画像データを生成する画像読込部１と、この画像読込部１が生成する画像データ等の与えられる画像データに基づいて、トナー像を用紙上に印刷する画像形成部２と、多機能複写機における動作を制御するための制御回路３と、画像読込部１および画像形成部２に駆動電力を供給するための電源回路４と、公衆電話回線を介して画像データを送受信するためのモデム５と、操作者が種々の操作を行うための操作部６とが備えられている。操作部６は、コピー動作を開始させるためのコピーキー７と，スキャナ動作を開始させるためのスキャナキー８と，ファクシミリ送信を開始させるためのＦＡＸ送信キー９と，ファクシミリ送信およびコピー動作を開始させるためのＦＡＸ送信＋ＣＯＰＹキー１０と，スキャナ動作およびスキャナ動作により生成された画像データをコンピュータ１６に送出する動作を開始させるためのＰＣ送信キー１１と，コピー動作、および、スキャナ動作により生成された画像データをコンピュータ１６に送出する動作を開始させるためのＰＣ送信＋ＣＯＰＹキー１２と，画像読込部１、画像形成部２を動作受付状態から節電状態へ、または、節電状態から動作受付状態へ移行させる信号を生成するための余熱キー１３と，画像読込部１または画像形成部２の使用が一定時間行われない場合に、後述のスキャナＯＦＦモードへの移行を開始させるための自動スキャナＯＦＦキー１４と，テンキー１５とを備えている。
【００１３】
制御回路３は、画像形成部２に設けられており、画像読込部１、画像形成部２、電源回路４、モデム５、操作部６およびコンピュータ１６と接続されている。
また、操作部６の操作による信号は、制御回路３に与えられるようになっている。この多機能複写機の動作を要求する信号は、操作部６のボタン押操作、モデム５を介した公衆電話回線、または、コンピュータ１６から、制御回路３に送信されるようになっている。
【００１４】
電源回路４は、画像形成部２に設けられており、画像読込部１および画像形成部２への駆動電力をそれぞれ独立的に供給するようになっている。電源回路４は、この多機能複写機の動作に応じて、画像読込部１および画像形成部２への駆動電力の供給、駆動電力の供給の停止を行うようになっている。
テンキー１５には、数値を入力するためのボタンが備えられており、コピーの複写枚数や、動作受付状態から節電状態へ移行するまでの時間等、多機能複写機の動作における数値の設定を入力することができるようになっている。
【００１５】
操作者がこの多機能複写機を使用するときには、操作部６に備えられたボタンを押操作する。これにより、制御回路３に機能の使用を要求する信号が与えられ、この信号に基づいて、画像読込部１、画像形成部２、電源回路４、モデム５の動作が実行されるようになっている。
コピーキー７を押操作すると、画像読込部１が原稿画像を読み取って画像データを生成するスキャナ動作が行われ、つづいて、画像形成部２がこの画像データに基づいて用紙上に原稿画像を形成するコピー動作が行われる。
【００１６】
スキャナキー８を押操作すると、画像読込部１が原稿画像を読み取って画像データを生成するスキャナ動作が行われる。
ＦＡＸ送信キー９を押操作すると、画像読込部１が原稿画像を読み取って画像データを生成するスキャナ動作が行われ、つづいて、その画像データをモデム５を介して公衆電話回線に送信するファクシミリ送信が行われる。
ＦＡＸ送信＋ＣＯＰＹキー１０を押操作すると、上述のＦＡＸ送信キー９の押操作に基づくスキャナ動作およびファクシミリ送信に加え、画像形成部１が読み取った画像データに基づいて、画像形成部２が用紙上に原稿画像を形成するコピー動作が行われる。
【００１７】
ＰＣ送信キー１１を押操作すると、画像読込部１が原稿画像を読み取って画像データを生成するスキャナ動作が行われ、つづいて、コンピュータ１６にこの画像データが送信される。
ＰＣ送信＋ＣＯＰＹキー１２を押操作すると、上述のＰＣ送信キー１１の押操作に基づくスキャナ動作、および、読み取られた画像データのコンピュータ１６への送信に加え、画像形成部１が読み取った画像データに基づいて、画像形成部２が用紙上に原稿画像を形成するコピー動作が行われる。
【００１８】
自動スキャナＯＦＦキー１４を押操作すると、予め設定された一定時間継続して画像読込部１もしくは画像形成部２の使用が無い場合、または画像読込部１もしくは画像形成部２の動作が終了した場合に、この多機能複写機を動作受付状態から後述するスキャナＯＦＦモードへ移行させる信号が制御回路３に与えられる。
この多機能複写機は、操作部６の操作により、上記動作が実行可能である。また、この多機能複写機は、操作部６の操作に加え、公衆電話回線からモデム５で受信した画像データを画像形成部２で用紙上に出力するファクシミリ受信、コンピュータ１６から制御回路３で受信した画像データを画像形成部２で用紙上に出力するプリント動作、および、コンピュータ１６からスキャナ動作の実行を要求する信号を受けてスキャナ動作を行い、読み取った画像データをコンピュータ１６に送信するコンピュータ送信を行うことができるようになっている。
【００１９】
図２、図３および図４は、この多機能複写機による動作を説明するためのフローチャートである。図２は、この多機能複写機における動作受付状態から節電状態への移行に関する処理を主として表す。以下、このフローチャートについて説明する。
図２において、まず、自動スキャナＯＦＦキー１４が押操作されて、制御回路３に自動スキャナＯＦＦを要求する信号が与えられているか否かを判別する（ステップＳ１）。自動スキャナＯＦＦとは、予め設定された一定時間継続して、画像読込部１もしくは画像形成部２の使用が無い場合、または画像読込部１もしくは画像形成部２の動作が終了した場合に、動作受付状態からスキャナＯＦＦモードへの移行を行う処理を示す。
【００２０】
スキャナＯＦＦモードとは、この多機能複写機に設定されている三種類の節電状態の一つで、電源回路４による画像読込部１への駆動電力の供給が停止されている状態を示す。この多機能複写機がスキャナＯＦＦモードに移行している場合、画像読込部１への駆動電力の供給が行われないため、動作受付状態で画像読込部１が使用されていない場合に比べて、電力の消費を抑えることができるようになっている。
【００２１】
スキャナＯＦＦモードに移行しているときに、例えばスキャナ動作等、画像読込部１の使用を要求する信号が制御回路３に与えられると、制御回路３は画像読込部１への駆動電力の供給を再開する信号を電源回路４に送信する。この信号を受けた電源回路４は、画像読込部１への駆動電力の供給を再開する。画像読込部１は、駆動電力の供給が再開されてから動作可能な状態となるまでに必要な電源立ち上げ時間ｔ１秒が経過した後、動作受付状態に復帰するようになっている。
【００２２】
自動スキャナＯＦＦキー１４が押操作されて、自動スキャナＯＦＦを要求する信号が与えられている場合（ステップＳ１のＹＥＳ）、スキャナＯＦＦモードへ移行する信号が制御回路３に与えられる（ステップＳ５）。この信号を受けた制御回路３から電源回路４に、画像読込部１への駆動電力の供給を停止する信号が送信されることで、画像読込部１への駆動電力の供給が停止される。操作者が自動スキャナＯＦＦキー１４を押操作した後、テンキー１５を押操作することで、スキャナＯＦＦモードへ移行するまでの時間を、自由に設定することができるような構成であってもよい。
【００２３】
自動スキャナＯＦＦキー１４が押操作されていなければ（ステップＳ１のＮＯ）、操作部６のボタン操作により節電を要求する信号が与えられているか否かを判別する（ステップＳ２）。節電を要求する信号は、動作受付状態において余熱キー１３が押操作されることで制御回路３に与えられる（ステップＳ２のＹＥＳ）。つづいて、画像読込部１、画像形成部２のうち、どの機能が節電を要求されているか判別する（ステップＳ４）。スキャナキー８が押操作されると（ステップＳ４のスキャナ）、動作受付状態からスキャナＯＦＦモードへ移行する信号が制御回路３に与えられる（ステップＳ５）。
【００２４】
一方、余熱キー１３が押操作された後、コピーキー７が押操作されると（ステップＳ４のコピー）、動作受付状態からプレヒートモードへ移行する信号が制御回路３に与えられる（ステップＳ６）。プレヒートモードとは、この多機能複写機に設定されている三種類の節電状態の一つで、電源回路４による画像読込部１への駆動電力の供給が停止されているとともに、画像形成部２への駆動電力の供給が予め定められた一定量、低減されている状態を示す。多機能複写機がプレヒートモードに移行している場合、画像読込部１への駆動電力の供給が行われないと共に、画像形成部２への駆動電力の供給量も低減されているので、スキャナＯＦＦモードに比べて、電力の消費をより抑えることができるようになっている。
【００２５】
プレヒートモードに移行しているときに、例えばスキャナ動作等、画像読込部１の使用を要求する信号が制御回路３に与えられると、制御回路３は画像読込部１への駆動電力の供給を再開する信号を電源回路４に送信する。この信号を受けた電源回路４は、画像読込部１への駆動電力の供給を再開する。画像読込部１は、駆動電力の供給が再開されてから動作可能な状態となるまでに必要な電源立ち上げ時間ｔ１秒が経過した後、動作受付状態に復帰するようになっている。
【００２６】
一方、プレヒートモードに移行しているときに、例えばファクシミリ受信動作等、画像形成部２の使用を要求する信号が制御回路３に与えられると、制御回路３は、画像形成部２への駆動電力を動作受付状態と同量だけ供給する信号を電源回路４に送信する。この信号を受けた電源回路４は、画像読込部２への駆動電力の供給を、動作受付状態と同量だけ行う。画像形成部２は、プレヒートモードから動作受付状態に復帰するまでに必要な電源立ち上げ時間ｔ２秒が経過することで、画像形成部２が動作受付状態に復帰するようになっている。
【００２７】
また、プレヒートモードに移行しているときに、例えばコピー動作等、画像読込部１および画像形成部２の両方の使用を要求する信号が制御回路３に与えられると、上述の、画像読込部１の使用を要求する信号が与えられた場合と同様に、電源立ち上げ時間ｔ１秒が経過することで、画像読込部１が動作受付状態に復帰するようになっている。これとともに、上述の、画像形成部２の使用を要求する信号が与えられている場合と同様に、電源立ち上げ時間ｔ２秒が経過することで、画像形成部２が動作受付状態に復帰するようになっている。したがって、動作受付状態への復帰に必要な時間ｔ１秒、ｔ２秒のうち、より長いほうの時間（ｔ１＞ｔ２であればｔ１秒、ｔ１＜ｔ２であればｔ２秒）が経過した後、画像読込部１および画像形成部２が動作受付状態に復帰する。
【００２８】
一方、ステップＳ２において、制御回路３に節電状態への移行を要求する信号が与えられていない場合（ステップＳ２のＮＯ）、一定時間、例えば１５分間、ステップＳ２の処理が繰り返される。ステップＳ１が繰り返される時間は、テンキー１５を押操作することで自由に設定することができるような構成であってもよい。
この一定時間、操作部６の操作により節電状態への移行を要求する信号が継続して与えられない場合（ステップＳ３のＹＥＳ）、前述したプレヒートモードへ移行する（ステップＳ６）。これにより、操作部６の操作により節電状態への移行が要求されなくても、一定時間が経過すれば節電状態であるプレヒートモードに移行する。したがって、機能の使用が要求されない場合における無用な電力の消費が抑えられるようになっている。
【００２９】
ステップＳ６において、動作受付状態からプレヒートモードに移行した後、外部からの要求があるか否かの判別を行う（ステップＳ７）。外部からの要求とは、操作部６のボタン押操作以外によって制御回路３に与えられる動作要求を示す。具体的には、前述した、公衆電話回線からモデム５で受信した画像データを画像形成部２で用紙上に出力するファクシミリ受信、コンピュータ１６から制御回路３で受信した画像データを画像形成部２で用紙上に出力するプリント動作、およびコンピュータ１６によるスキャナ動作の要求を示す。
【００３０】
外部からの要求の信号が制御回路３に与えられた場合（ステップＳ７のＹＥＳ）、後述する図３のステップＳ１３の判定が行われる。
一方、外部からの要求の信号が制御回路３に与えられない場合（ステップＳ７のＮＯ）には、プレヒートモード解除要求が与えられているか否かの判別を行う（ステップＳ８）。プレヒートモード解除要求とは、プレヒートモードにおいて、操作部６のボタン操作により制御回路３に動作要求が与えられることを示す。具体的には、操作部６のボタン操作により、コピー動作、ファクシミリ送信、コンピュータへの送信のいずれかが要求されていることを示す。
【００３１】
操作部６のボタン操作により、プレヒートモード解除要求の信号が制御回路３に与えられた場合（ステップＳ８のＹＥＳ）、後述する図４のステップＳ２３の判別が行われる。
一方、操作部６のボタン押操作によるプレヒートモード解除要求が制御回路３に与えられていない場合（ステップＳ８のＮＯ）、一定時間、例えば９０分間、ステップＳ７、Ｓ８の処理が繰り返される。ステップＳ７、Ｓ８が繰り返される時間は、テンキー１５を押操作することで自由に設定することができるような構成であってもよい。
【００３２】
この一定時間、外部からの要求またはプレヒートモード解除要求が継続して与えられない場合（ステップＳ９のＹＥＳ）、この多機能複写機はプレヒートモードからスリープモードへ移行する（ステップＳ１０）。
スリープモードとは、この多機能複写機に設定されている三種類の節電状態の一つで、電源回路４による画像読込部１および画像形成部２への駆動電力の供給が停止されている状態を示す。多機能複写機がスリープモードに移行している場合、画像読込部１および画像形成部２への駆動電力の供給が行われないので、プレヒートモードに比べて、電力の消費をより抑えることができるようになっている。
【００３３】
スリープモードに移行しているときに、例えばスキャナ動作等、画像読込部１の使用を要求する信号が制御回路３に与えられると、制御回路３は画像読込部１への駆動電力の供給を再開する信号を電源回路４に送信する。この信号を受けた電源回路４は、画像読込部１への駆動電力の供給を再開する。画像読込部１は、駆動電力の供給が再開されてから動作可能な状態となるまでに必要な電源立ち上げ時間ｔ１秒が経過した後、動作受付状態に復帰するようになっている。
【００３４】
一方、スリープモードに移行しているときに、例えばファクシミリ受信動作等、画像形成部２の使用を要求する信号が制御回路３に与えられると、制御回路３は画像形成部２への駆動電力の供給を再開する信号を電源回路４に送信する。この信号を受けた電源回路４は、画像形成部２への駆動電力の供給を再開する。画像形成部２は、駆動電力の供給が再開されてから動作可能な状態となるまでに必要な電源立ち上げ時間ｔ３秒が経過した後、動作受付状態に復帰するようになっている。
【００３５】
また、スリープモードに移行しているときに、例えばコピー動作等、画像読込部１および画像形成部２の両方の使用を要求する信号が制御回路３に与えられると、上述の、画像読込部１の使用を要求する信号が与えられた場合と同様に、電源立ち上げ時間ｔ１秒が経過することで、画像読込部１が動作受付状態に復帰するようになっている。これとともに、上述の、画像形成部２の使用を要求する信号が与えられた場合と同様に、電源立ち上げ時間ｔ３秒が経過することで、画像形成部２が動作受付状態に復帰するようになっている。したがって、動作受付状態への復帰に必要な時間ｔ１秒、ｔ３秒のうち、より長いほうの時間（ｔ１＞ｔ３であればｔ１秒、ｔ１＜ｔ３であればｔ３秒）が経過した後、画像読込部１および画像形成部２が動作受付状態に復帰するようになっている。
【００３６】
これにより、操作部６のボタン押操作により節電状態への移行が要求されなくても、プレヒートモードにおいて一定時間が経過すれば、プレヒートモードと比べて電力の消費がより抑えられた状態であるスリープモードに移行する。したがって、機能の使用が要求されない場合における無用な電力の消費がより抑えられるようになっている。
ステップＳ１０において、プレヒートモードからスリープモードに移行した後、制御回路３は外部からの要求があるか否かの判別を行う（ステップＳ１１）。
外部からの要求とは、ステップＳ７と同様、公衆電話回線からモデム５で受信した画像データを画像形成部２で用紙上に出力するファクシミリ受信、コンピュータ１６から制御回路３で受信した画像データを画像形成部２で用紙上に出力するプリント動作、およびコンピュータ１６によるスキャナ動作の要求を示す。
【００３７】
外部から動作の要求の信号が制御回路３に与えられた場合（ステップＳ１１のＹＥＳ）、後述する図３のステップＳ１３の判別が行われる。
一方、外部からの要求が制御回路３に与えられない場合（ステップＳ１１のＮＯ）、スリープモード解除要求があるか否かの判定を行う（ステップＳ１２）。
スリープモード解除要求とは、ステップＳ８と同様、スリープモードにおいて、操作部６のボタン押操作により、制御回路３に動作要求の信号が与えられていることを示す。具体的には、操作部６のボタン押操作により、コピー動作、ファクシミリ送信、コンピュータへの送信のいずれかが、要求されることを示す。
【００３８】
操作部６のボタン押操作により、スリープモード解除要求の信号が制御回路３に与えられた場合（ステップＳ１２のＹＥＳ）、後述する図４のステップＳ２３の判別が行われる。
一方、操作部６のボタン押操作によるスリープモード解除要求が制御回路３に与えられない場合（ステップＳ１２のＮＯ）、ステップＳ１１、Ｓ１２の処理が繰り返される。
【００３９】
以上のように、スキャナＯＦＦモード、プレヒートモードおよびスリープモードの三種類の節電状態を設定することで、無用な電力の消費を抑えることができるようになっている。
また、操作者が節電を要求する指示を与えなくても、プレヒートモード、スリープモードの節電状態に移行するようになっているので、操作者の手を煩わすことなく無用な電力の消費を抑えることができるようになっている。
【００４０】
図３は、プレヒートモードまたはスリープモードにおいて、外部からの要求を制御回路３が受信した場合の動作を表すフローチャートである。以下，このフローチャートについて説明する。
図３を参照して、まず、プレヒートモードまたはスリープモードに移行している場合において、外部からの要求が制御回路３に送信されると（図２のステップＳ７のＹＥＳまたはステップＳ１１のＹＥＳ）、プリント動作が要求されているかスキャナ動作が要求されているかを判定する（ステップＳ１３）。この場合、外部からスキャナ動作が要求されるのは、コンピュータ１６からスキャナ動作を要求する信号が制御回路３に与えられる場合である。この信号を受けると、制御回路３は画像読込部１を動作受付状態に復帰させる信号を電源回路４に送信し（ステップＳ１４）、画像読込部１への駆動電力の供給が再開される。画像読込部１は、駆動電力の供給が再開されてから動作可能な状態となるまでに必要な電源立ち上げ時間ｔ１秒が経過した後、動作受付状態に復帰する（ステップＳ１５）。つづいて、スキャナ動作が行われて、原稿画像に対応した画像データが生成され、その画像データが制御回路３を介してコンピュータ１６に送信される（ステップＳ１６）。
【００４１】
スキャナ動作およびコンピュータ１６への送信が終了すると（ステップＳ１７）、制御回路３は、プレヒートモードからスキャナ動作が要求されていたか、スリープモードからスキャナ動作が要求されていたかを判別する（ステップＳ１８）。プレヒートモードからスキャナ動作が要求されていた場合はステップＳ６に戻り、スリープモードからスキャナ動作が要求されていた場合はステップＳ１０に戻る。
【００４２】
一方、ステップＳ１３おいて外部からプリント動作が要求されるのは、公衆電話回線からモデム５で受信した画像データを画像形成部２で用紙上に出力するファクシミリ受信、または、コンピュータ１６から制御回路３で受信した画像データを画像形成部２で用紙上に出力するプリント動作を要求する信号が制御回路３に与えられる場合である。この信号を受信すると　、制御回路３は画像形成部２を動作受付状態に復帰させる信号を電源回路４に送信する（ステップＳ１９）。
画像形成部２をプレヒートモードから動作受付状態に復帰させる場合、電源回路４は、画像読込部２への駆動電力の供給を動作受付状態と同量だけ行う。画像形成部２は、プレヒートモードから動作受付状態に復帰するまでに必要な電源立ち上げ時間ｔ２秒が経過することで、画像形成部２が動作受付状態に復帰する（ステップＳ２０）。
【００４３】
また、スリープモードから動作受付状態に復帰させる場合、電源回路４は、画像形成部２への駆動電力の供給を再開する（ステップＳ１９）。画像形成部２は、駆動電力の供給が再開されてから動作可能な状態となるまでに必要な電源立ち上げ時間ｔ３秒が経過することで、画像形成部２が動作受付状態に復帰する（ステップＳ２０）。
つづいて、操作部６のボタン押操作による動作要求に基づき、ファクシミリ受信またはプリント動作が行われ（ステップＳ２１）、ファクシミリ受信またはプリント動作が終了すると（ステップＳ２２）、ステップＳ１８に進む。
【００４４】
以上のように、プレヒートモードまたはスリープモードに移行している場合において、外部から動作の要求が制御回路３に送信された場合、要求された信号に基づいて、使用が要求されている機能のみが動作受付状態に復帰する。したがって、使用が要求されていない機能は、外部から与えられる信号により、節電状態が解除されない。したがって、無用な電力の消費をより抑えることができるようになっている。
【００４５】
図４は、プレヒートモードまたはスリープモードにおいて、操作部６のボタン押操作により、プレヒートモードまたはスリープモードの解除要求を受信した場合の動作を表すフローチャートである。以下、このフローチャートについて説明する。
図４を参照して、まず、プレヒートモードまたはスリープモードに移行している場合において、操作者が余熱キー１３を押操作することにより、プレヒートモードまたはスリープモード解除を要求する信号が制御回路３に送信されると（図２のステップＳ８のＹＥＳまたはステップＳ１２のＹＥＳ）、コピー動作が要求されているかスキャナ動作が要求されているかを判別する（ステップＳ２３）。
【００４６】
ステップＳ２３において、操作部６のボタン押操作により、スキャナ動作およびコピー動作を要求する信号が送信されるのは、コピーキー７、ＦＡＸ送信＋ＣＯＰＹキー１０またはＰＣ送信＋ＣＯＰＹキー１２のいずれかが押操作された場合である（ステップＳ２３のコピー）。これらの信号のいずれかを受信した制御回路３は、画像読込部１および画像形成部２を動作受付状態に復帰させる信号を電源回路４に与える（ステップＳ２４、Ｓ２７）。この信号を受けた電源回路４は、画像読込部１および画像形成部２が動作受付状態となるよう、駆動電力の供給を再開する。画像読込部１は、駆動電力の供給が停止されたプレヒートモードまたはスリープモードから駆動電力の供給を受けて動作可能となるまでに必要な電源立ち上がり時間ｔ１秒が経過することで、動作受付状態に復帰する（ステップＳ２５）。つづいて、スキャナ動作が行われ（ステップＳ２６）、原稿画像に対応した画像データが生成される。
【００４７】
また、プレヒートモードから動作受付状態に復帰させる場合、画像形成部２への駆動電力の供給は、動作受付状態と同量だけ行われる。画像形成部２は、プレヒートモードから動作受付状態に復帰するのに必要な電源立ち上げ時間ｔ２秒が経過することで、動作受付状態に復帰する（ステップＳ２８）。
一方、スリープモードから画像形成部２を動作受付状態に復帰させる場合、電源回路４は、画像形成部２への駆動電力の供給を再開する。画像形成部２は、駆動電力の供給が再開されてから動作可能な状態となるまでに必要な電源立ち上げ時間ｔ３秒が経過することで、動作受付状態に復帰する（ステップＳ２８）。
【００４８】
画像形成部２が動作受付状態に復帰した後、ステップＳ２６で生成された画像データに基づいて、コピー動作が行われる（ステップＳ２９）。スキャナ動作およびコピー動作が終了すると（ステップＳ３０）、ステップＳ２６で生成された画像データを送信するか否かの判別を行う（ステップＳ３１）。ステップＳ２３において、コピーキー７、ＦＡＸ送信＋ＣＯＰＹキー１０、または、ＰＣ送信＋ＣＯＰＹキー１２のうち、コピーキー７が押操作されている場合は、画像データを送信する信号が制御回路３に与えられていないので、ステップＳ１に戻る。
【００４９】
一方、ステップＳ２３でＦＡＸ送信＋ＣＯＰＹキー１０またはＰＣ送信＋ＣＯＰＹキー１２が押操作されている場合、画像データを送信する信号が制御回路３に与えられている（ステップＳ３１のＹＥＳ）。ステップＳ２６で生成された画像データは、ＦＡＸ送信＋ＣＯＰＹキー１０が押操作されている場合、モデム５を介して公衆電話回線に送信され、ＰＣ送信＋ＣＯＰＹキー１２が押操作されている場合、制御回路３を介してコンピュータ１６に送信される（ステップＳ３２）。画像データの送信が終了すると（ステップＳ３３）、ステップＳ１に戻る。
【００５０】
一方、ステップＳ２３において、操作部６のボタン押操作によりスキャナ動作を要求し、コピー動作は要求しない信号を制御回路３に送信するのは、ＦＡＸ送信キー９またはＰＣ送信キー１１が押操作されている場合である。ＦＡＸ送信キー９またはＰＣ送信キー１１が押操作されると（ステップＳ２３のスキャナ）、制御回路３は画像読込部１への駆動電力の供給を再開する信号を電源回路４に送信する（ステップＳ３４）。この信号を受けた電源回路４は、画像読込部１への駆動電力の供給を再開する。画像読込部１は、駆動電力の供給が再開されてから動作可能な状態となるまでに必要な電源立ち上げ時間ｔ１秒が経過した後、動作受付状態に復帰する（ステップＳ３５）。つづいて、スキャナ動作が行われ（ステップＳ３６）、原稿画像に対応した画像データが生成される。ステップＳ３６で生成された画像データは、ＦＡＸ送信キー９が押操作されている場合、モデム５を介して公衆電話回線に送信され、ＰＣ送信キー１１が押操作されている場合、制御回路３を介してコンピュータ１６に送信される（ステップＳ３７）。画像データの送信が終了すると（ステップＳ３８）、ステップＳ１に戻る。
【００５１】
以上のように、プレヒートモードまたはスリープモードに移行している場合において、操作部６のボタン押操作により、動作を要求する信号が制御回路３に送信されると、要求された信号に基づいて、使用が要求されている機能のみが動作受付状態に復帰する。したがって、使用が要求されていない機能は、操作部６のボタン押操作により節電状態が解除されずに済む。したがって、無用な電力の消費をより抑えることができるようになっている。
【００５２】
図２〜４で示したフローチャートの手順に従い、この多機能複写機は、操作者による要求や機能の使用頻度に応じて節電状態に移行するようになっており、電力の消費を抑えるようになっている。さらに、画像読込部１および画像形成部２への駆動電力の供給が独立して行われている。これにより、節電状態から機能の使用を要求する信号が制御回路３に送信された場合、一様に画像読込部１および画像形成部２への駆動電力の供給を再開するのではなく、使用が要求される機能に応じて、駆動電力の供給を再開することができるようになっている。したがって、画像読込部１または画像形成部２のどちらか一方のみの使用が要求されている場合に、両方の機能が動作受付状態に復帰してしまうことがなく、節電効果をより高めることができる。
【００５３】
以上、この発明の一実施形態について説明したが、この発明は、上記の実施形態に限定されるものではなく、種々の形態で実施することが可能である。例えば、節電状態を、スキャナＯＦＦモード、プレヒートモード、スリープモードの三種類設定しているが、画像読込部１または画像形成部２への電力の配分をさらに細かく設定して、より多くの節電状態を設定してもよい。
また、上記の実施形態においては、画像読込部１と画像形成部２が別体である構成を例にして説明したが、画像読込部１と画像形成部２が一体に構成された多機能複写機にも適用することができる。
【００５４】
この発明は、以上の実施形態の内容に限定されるものではなく、請求項記載の範囲内において種々の変更が可能である。
【図面の簡単な説明】
【図１】この発明の一実施形態にかかるいわゆる多機能複写機の構成を示すブロック図である。
【図２】この多機能複写機における動作受付状態から節電状態への移行に関する処理を主として表すフローチャートである。
【図３】プレヒートモードまたはスリープモードにおいて、外部からの要求を受信した場合の動作を表すフローチャートである
【図４】プレヒートモードまたはスリープモードにおいて、操作部のボタン押操作により、プレヒートモードまたはスリープモードの解除要求を受信した場合の動作を表すフローチャートである。
【符号の説明】
１　画像読込部
２　画像形成部
３　制御回路
４　電源回路
【図１】
2004064421.tif 000003
【図２】
2004064421.tif 000004
【図３】
2004064421.tif 000005
【図４】
2004064421.tif 000006